(57)【要約】      （修正有）【課題】両軸受リールを用いたジギングにおいて、ドラグレバーの操作でジグの沈降速度を調整可能とし、その際の操作性も良好なものとした両軸受リールを提供する。【解決手段】ドラグレバー方式の両軸受リール１において、ドラグレバー７の揺動操作領域は、自由回転操作位置と、自由回転操作位置から見て一方の揺動操作領域に設定される第１制動調整領域と、自由回転操作位置から見て他方の揺動操作領域に設定される第２制動調整領域と、を有し、カム機構８は、ドラグレバー７が自由回転操作位置にあるとき、ドラグ機構１０の制動力を解除してスプール５の自由回転を許容するようにスプール軸６を移動させ、ドラグレバー７が自由回転操作位置から第１制動調整領域または第２制動調整領域のいずれに操作されたときでも、その操作量に応じてドラグ機構１０の制動力が増加するようにスプール軸６を移動させる。【選択図】図２
0003182452.tif 000002
【実用新案登録請求の範囲】
【請求項１】
リール本体と、
前記リール本体に回転自在に支持されたハンドル軸と、
前記ハンドル軸を回転操作するハンドル部材と、
釣り糸の巻き取り／繰り出しを行なうスプールと、
前記ハンドル軸と平行に配置され、前記スプールを回転自在に支持するスプール軸と、
前記スプール軸回りに揺動操作自在なドラグレバーと、
前記ドラグレバーの揺動操作に応じて前記スプール軸を軸方向に移動させるカム機構と、
前記スプールの回転を制動する制動部を有し、該制動部の制動力を前記スプール軸の軸方向の移動に応じて変化させるドラグ機構と、
前記ハンドル軸の回転を前記ドラグ機構を介して前記スプールに伝達する回転伝達機構と、を備える両軸受リールにおいて、
前記ドラグレバーの揺動操作領域は、
自由回転操作位置と、
前記自由回転操作位置から見て一方の揺動操作領域に設定される第１制動調整領域と、
前記自由回転操作位置から見て他方の揺動操作領域に設定される第２制動調整領域と、を有し、
前記カム機構は、
前記ドラグレバーが自由回転操作位置にあるとき、前記ドラグ機構の制動力を解除して前記スプールの自由回転を許容するように前記スプール軸を移動させ、
前記ドラグレバーが前記自由回転操作位置から前記第１制動調整領域または前記第２制動調整領域のいずれに操作されたときでも、その操作量に応じて前記ドラグ機構の制動力が増加するように前記スプール軸を移動させることを特徴とする両軸受リール。
【請求項２】
前記第２制動調整領域は、釣り糸を繰り出す際に使用され、前記ドラグレバーの操作に応じて前記ドラグ機構の制動力を無段階に変化させることを特徴とする請求項１記載の両軸受リール。
【請求項３】
前記第２制動調整領域は、操作ストロークが前記第１制動調整領域よりも短く、かつ前記ドラグレバーの操作量に対する制動力の変化量が前記第１制動調整領域よりも大きいことを特徴とする請求項２に記載の両軸受リール。
【考案の詳細な説明】
【技術分野】
【０００１】
本考案は、ドラグレバーによるスプール軸の軸方向移動に応じてスプールの制動力を変化させるドラグ機構を備えた両軸受リールに関する。
【背景技術】
【０００２】
ジグ（鉛製の疑似餌）を使用した釣り（以下、ジギングという）が盛んである。ジギングでは、通常、大きな巻き上げ力が要求されるので、スピニングリールより巻き上げ力が強い両軸受リールが使われることが多い（例えば、特許文献１参照）。
【０００３】
ジギングでは、ジグの重さに任せて釣り糸を繰り出し、沈降する際のジグの動きや、引き上げてくる際にジグに与える動きにより魚を誘引し、ジグに食いつかせて釣り上げる。特に、近年では、ジグを沈降させる際の速度を調整することにより、魚を誘引する手法が着目されている。
【先行技術文献】
【特許文献】
【０００４】
【特許文献１】特開２００４−１３５６８３号公報
【考案の概要】
【考案が解決しようとする課題】
【０００５】
両軸受リールには、大きく分けてスタードラグ方式とレバードラグ方式の２種類があり、釣り糸を繰り出す際は、スプールを自由回転させる。スタードラグ方式の両軸受リールは、スプール空転時の回転制御としてメカニカルブレーキという機構を備えるが、メカニカルブレーキは、一度調整すると一定の制動力を発揮し続けるものの、都度の調整は難しい。
【０００６】
一方、レバードラグ方式の両軸受リールでは、ドラグレバーの揺動操作に応じてスプールの制動力を変化させる摩擦式のドラグ機構を備え、ドラグレバーを自由回転操作位置（フリー）に操作すると、ドラグ機構の制動が解除されてスプールが自由回転するが、スタードラグ方式のように機構的なスプール回転制御手段を備えていないため、親指で糸巻き部を押さえるサミングと言う手法でジグの沈降速度を調整することが要求される。サミングは、指に入れる力の強弱でブレーキ力を自在に調整できる一方、糸巻き径が変化したり、釣り糸が水を含むことにより、精度の高い微調整が困難になる。
【０００７】
なお、レバードラグ方式の両軸受リールであっても、釣り糸の繰り出し中にドラグレバーを制動調整領域に操作すれば、サミングをしなくてもジグの沈降速度を調整可能であるが、ドラグレバーの制動調整領域は、魚を釣り上げる際の制動力調整に最適化されているので、ジグの沈降速度調整においては操作性に問題があった。
【課題を解決するための手段】
【０００８】
本考案は、上記の如き実情に鑑みこれらの課題を解決することを目的として創作されたものであって、リール本体と、前記リール本体に回転自在に支持されたハンドル軸と、前記ハンドル軸を回転操作するハンドル部材と、釣り糸の巻き取り／繰り出しを行なうスプールと、前記ハンドル軸と平行に配置され、前記スプールを回転自在に支持するスプール軸と、前記スプール軸回りに揺動操作自在なドラグレバーと、前記ドラグレバーの揺動操作に応じて前記スプール軸を軸方向に移動させるカム機構と、前記スプールの回転を制動する制動部を有し、該制動部の制動力を前記スプール軸の軸方向の移動に応じて変化させるドラグ機構と、前記ハンドル軸の回転を前記ドラグ機構を介して前記スプールに伝達する回転伝達機構と、を備える両軸受リールにおいて、前記ドラグレバーの揺動操作領域は、自由回転操作位置と、前記自由回転操作位置から見て一方の揺動操作領域に設定される第１制動調整領域と、前記自由回転操作位置から見て他方の揺動操作領域に設定される第２制動調整領域と、を有し、前記カム機構は、前記ドラグレバーが自由回転操作位置にあるとき、前記ドラグ機構の制動力を解除して前記スプールの自由回転を許容するように前記スプール軸を移動させ、前記ドラグレバーが前記自由回転操作位置から前記第１制動調整領域または前記第２制動調整領域のいずれに操作されたときでも、その操作量に応じて前記ドラグ機構の制動力が増加するように前記スプール軸を移動させることを特徴とする。
また、前記第２制動調整領域は、釣り糸を繰り出す際に使用され、前記ドラグレバーの操作に応じて前記ドラグ機構の制動力を無段階に変化させることを特徴とする。
また、前記第２制動調整領域は、操作ストロークが前記第１制動調整領域よりも短く、かつ前記ドラグレバーの操作量に対する制動力の変化量が前記第１制動調整領域よりも大きいことを特徴とする。
【考案の効果】
【０００９】
請求項１の考案によれば、ドラグレバーの揺動操作領域は、自由回転操作位置から見て一方の揺動操作領域に設定される第１制動調整領域と、自由回転操作位置から見て他方の揺動操作領域に設定される第２制動調整領域とを有し、いずれの制動調整領域でもドラグ機構の制動力を調整することができるので、一方の制動調整領域を魚を釣り上げる際の制動力調整に最適化しつつ、他方の制動調整領域を釣り糸を繰り出す際の制動力調整に最適化することができ、その結果、ジギングにおいて、サミングをしなくても、ドラグレバーの操作でジグの沈降速度を調整できるだけでなく、その際の操作性も良好なものとできる。しかも、釣り糸の繰り出しを開始する際、ドラグレバーを第１制動調整領域から自由回転操作位置に操作した後、自由回転操作位置を越える第２制動調整領域への連続的な操作でジグの沈降速度を調整することができるので、沈降開始直後からジグの速度調整を行ない、魚を誘引することができる。
また、請求項２の考案によれば、第２制動調整領域は、釣り糸を繰り出す際に使用され、ドラグレバーの操作に応じてドラグ機構の制動力を無段階に変化させるので、ジギングにおいて、ドラグレバーの操作でジグの沈降速度を無段階に調整することができる。
また、請求項３の考案によれば、第２制動調整領域は、操作ストロークが第１制動調整領域よりも短く、かつドラグレバーの操作量に対する制動力の変化量が第１制動調整領域よりも大きいので、ジグの沈降速度を調整する際、ドラグレバーの操作量を少なくして操作性を向上させることができるだけでなく、少ないレバー操作量で大きな速度変化を生じさせることができる。
【図面の簡単な説明】
【００１０】
【図１】本考案の実施形態に係る両軸受リールの側面図である。
【図２】図１のＸ−Ｘ断面図である。
【図３】（ａ）は本考案の実施形態に係る両軸受リールのドラグレバー揺動操作領域とカムの関係を示す説明図、（ｂ）は従来例に係る両軸受リールのドラグレバー揺動操作領域とカムの関係を示す説明図である。
【図４】（ａ）は本考案の実施形態に係る両軸受リールのカムを示す斜視図、（ｂ）はカムプレートを示す斜視図、（ｃ）は従来例に係る両軸受リールのカムを示す斜視図である。
【図５】本考案の実施形態に係る両軸受リールを使用したジギングにおけるドラグレバーの操作例（巻き上げ→繰り出し→沈降速度調整）を示す説明図である。
【考案を実施するための形態】
【００１１】
以下、本考案の実施の形態について、図面に基づいて説明する。図１および図２において、１はドラグレバー方式の両軸受リールであって、該両軸受リール１は、リール本体２と、リール本体２に回転自在に支持されたハンドル軸３と、ハンドル軸３を回転操作するハンドル部材４と、釣り糸の巻き取り／繰り出しを行なうスプール５と、ハンドル軸３と平行に配置され、スプール５を回転自在に支持するスプール軸６と、スプール軸回りに揺動操作自在なドラグレバー７と、ドラグレバー７の揺動操作に応じてスプール軸６を軸方向に移動させるカム機構８と、スプール５の回転を制動する制動部９を有し、該制動部９の制動力をスプール軸６の軸方向の移動に応じて変化させるドラグ機構１０と、ハンドル軸３の回転をドラグ機構１０を介してスプール５に伝達する回転伝達機構１１と、を備えて構成されている。以下、本考案に関連する部分について順次説明する。
【００１２】
スプール５は、釣り糸が巻かれる胴部５ａと、その左右両端部から外径方向に延出する円盤状のフランジ部５ｂと、を一体的に備え、胴部５ａの内周側に配置される一対の軸受１２を介してスプール軸６で回転自在に支持されるとともに、スプール軸６の軸方向の移動に対して従動するようになっている。
【００１３】
ドラグ機構１０は、摩擦ブレーキ方式の制動部９を構成するドラグワッシャ１３とドラグディスク１４を備えている。ドラグワッシャ１３は、スプール５の一方のフランジ部５ｂの外面側に一体回転可能に嵌合され、ドラグディスク１４は、スプール軸６で回転自在に支持されるとともに、回転伝達機構１１を介してハンドル軸３に連結されている。そして、図２の上半部に示すように、ドラグワッシャ１３とドラグディスク１４が離間している状態では、スプール５の自由回転を許容するが、図２の下半部に示すように、スプール軸６の軸方向の移動に応じて、ドラグワッシャ１３がドラグディスク１４に接触すると、その間に発生する摩擦力でスプール５の回転が制動されるようになっている。
【００１４】
回転伝達機構１１は、ハンドル軸３に一体的に設けられる大径ギヤ１５と、スプール軸６に回転自在に設けられる小径ギヤ１６とを備えて構成されている。小径ギア１６は、大径ギヤ１５と噛合するとともに、ドラグディスク１４と一体的に連結されており、大径ギア１５から入力されるハンドル軸３の回転をドラグ機構１０を介してスプール５に伝達する。
【００１５】
カム機構８は、スプール軸６の軸方向に並ぶカム１７とカムプレート１８を備えて構成されている。カム１７は、ドラグレバー７と一体的に回転する一方、カムプレート１８は、スプール軸６に回転不能に設けられている。ドラグレバー７の揺動操作に応じてカム１７が回転すると、カムプレート１８と当接するカム面が変位し、それに伴ってカムプレート１８がスプール軸６の軸方向に移動する。そして、カムプレート１８は、スプール軸６の一端部に螺着されるプリセットノブ１９にブッシュ２０を介して当接するため、カムプレート１８の移動に応じてスプール軸６が軸方向に移動し、それに応じて前述したドラグ機構１０の制動力調整が行なわれるようになっている。なお、プリセットノブ１９を回し操作すると、その進退に応じてスプール軸６の軸方向の初期位置が変化し、それに伴ってドラグレバー７による制動力の調整範囲が変動するようになっている。
【００１６】
ドラグレバー７は、スプール軸６を中心として揺動操作自在であり、その揺動操作範囲には、スプール５を自由回転させる自由回転操作位置と、自由回転操作位置からの操作量に応じてドラグ機構１０の制動力を変化させる制動調整領域とが設定される。図３の（Ｂ）に示すように、従来の両軸受リールでは、ドラグレバー１０７の揺動操作範囲の一端部に自由回転操作位置を設け、自由回転操作位置から見て一方の揺動操作領域に制動調整領域を設定している。したがって、従来のカム１１７は、図３の（Ｂ）および図４の（Ｃ）に示すように、カムプレート１８の凸部１８ａを落とし込み、スプール軸６を制動解除方向に移動させる自由回転操作用の凹部１１７ａと、カムプレート１８の凸部１８ａを徐々に押し出し、スプール軸６を制動力増加方向に移動させる制動調整用の傾斜面１１７ｂとを備える。
【００１７】
一方、本考案の実施形態に係る両軸受リール１では、図３の（Ａ）に示すように、ドラグレバー７の揺動操作領域に、自由回転操作位置と、自由回転操作位置から見て一方の揺動操作領域に設定される第１制動調整領域と、自由回転操作位置から見て他方の揺動操作領域に設定される第２制動調整領域とが設定されており、カム機構８は、ドラグレバー７が自由回転操作位置にあるとき、ドラグ機構１０の制動力を解除してスプール５の自由回転を許容するようにスプール軸６を移動させ、ドラグレバー７が自由回転操作位置から第１制動調整領域または第２制動調整領域のいずれに操作されたときでも、その操作量に応じてドラグ機構１０の制動力が増加するようにスプール軸６を移動させるように構成されている。
【００１８】
つまり、図３の（Ａ）および図４の（Ｃ）に示すように、本実施形態のカム１７は、従来のカム１１７と同様に、カムプレート１８の凸部１８ａを落とし込み、スプール軸６を制動解除方向に移動させる自由回転操作用の凹部１７ａと、カムプレート１８の凸部１８ａを徐々に押し出し、スプール軸６を制動力増加方向に移動させる制動調整用の傾斜面１７ｂとを備えるが、自由回転操作用の凹部１７ａから見て、傾斜面１７ｂとは反対側に第２の傾斜面１７ｃを備え、この傾斜面により第２制動調整領域を現出させる。
【００１９】
第２制動調整領域は、主に釣り糸を繰り出す際に使用され、ドラグレバー７の操作に応じてドラグ機構１０の制動力を無段階に変化させる。例えば、本実施形態の両軸受リール１は、ドラグレバー７の揺動位置を保持するレバー保持機構２１を備え、該機構を構成するボール２２ａと、プレート２３に形成される複数の孔２３ａとの係合により、ドラグレバー７の揺動位置を自由回転操作位置および第１制動調整領域で段階的に保持するが、第２制動調整領域では、レバー保持機構２１によるレバー保持を行なわず、円滑で、かつ無段階のレバー操作を実現している。
【００２０】
また、第２制動調整領域は、操作ストロークが第１制動調整領域よりも短く、かつドラグレバー７の操作量に対する制動力の変化量が第１制動調整領域よりも大きくなるように設定されている。具体的には、カム１７に形成される傾斜面１７ｃのストロークを傾斜面１７ｂよりも短くし、かつ、傾斜面１７ｃの傾斜角を傾斜面１７ｂよりも大きくする。なお、本実施形態では、ドラグレバー７の揺動操作限界位置を一対のストッパ２４、２５で規定しており、第１制動調整領域の最大制動調整位置では、ストッパ２４によってそれ以上の揺動操作が規制され、第２制動調整領域の最大制動調整位置では、ストッパ２５によってそれ以上の揺動操作が規制される。因みに、本実施形態の両軸受リール１では、ドラグレバー７を第１制動調整領域の最大制動調整位置に操作すると、例えば、スプール５に４０ｋｇの制動力を与え、ドラグレバー７を第２制動調整領域の最大制動調整位置に操作すると、スプール５に１０ｋｇの制動力を与えることができる。
【００２１】
つぎに、本考案の実施形態に係る両軸受リール１を使用したジギングにおけるドラグレバー７の操作例（巻き上げ→繰り出し→沈降速度調整）を図５を参照して説明する。
【００２２】
ジギングでは、ジグの重さに任せて釣り糸を繰り出し、沈降する際のジグの動きや、引き上げてくる際にジグに与える動きにより魚を誘引し、ジグに食いつかせて釣り上げる。図５の上側に示す図では、ドラグレバー７が第１制動調整領域に操作されており、この状態でハンドル部材４を所定方向に回し操作すると、スプール５が巻き取り方向に回転し、釣り糸がスプール５に巻き取られる。このとき、ハンドル部材４の操作速度を調整することにより、ジグに動きを与えて魚を誘引することができる。なお、ジグの引き上げ時に魚が食いついたら、第１制動調整領域の範囲内でドラグ機構１０の制動力を調整し、適正な制動をかけながら魚を釣り上げることができる。
【００２３】
ジグを水面まで引き上げたら、図５の中央に示すように、ドラグレバー７を自由回転操作位置に操作してスプール５の自由回転を許容し、ジグの重さで釣り糸を繰り出す。このとき、ジグの沈降速度に変化を与えて魚を誘引する場合は、図５の下側に示すように、ドラグレバー７を第２制動調整領域に操作し、ドラグ機構１０の制動力を調整する。例えば、ドラグレバー７を第２制動調整領域内で往復揺動させれば、制動力の増減に伴ってジグの沈降速度が変化し、ジグに動きを与えることができる。そして、ジグの沈降中に魚が食いついたら、ドラグレバー７を第２制動調整領域から第１制動調整領域に操作し、適正な制動をかけながら魚を釣り上げる。また、魚が食いつくことなく、ジグが所定の深さまで沈降したら、図５の上側に示すように、ドラグレバー７を第１制動調整領域に操作し、ジグの引き上げを開始する。
【００２４】
叙述の如く構成された本実施形態によれば、リール本体２と、リール本体２に回転自在に支持されたハンドル軸３と、ハンドル軸３を回転操作するハンドル部材４と、釣り糸の巻き取り／繰り出しを行なうスプール５と、ハンドル軸３と平行に配置され、スプール５を回転自在に支持するスプール軸６と、スプール軸回りに揺動操作自在なドラグレバー７と、ドラグレバー７の揺動操作に応じてスプール軸６を軸方向に移動させるカム機構８と、スプール５の回転を制動する制動部９を有し、該制動部９の制動力をスプール軸６の軸方向の移動に応じて変化させるドラグ機構１０と、ハンドル軸３の回転をドラグ機構１０を介してスプール５に伝達する回転伝達機構１１と、を備える両軸受リール１において、ドラグレバー７の揺動操作領域は、自由回転操作位置と、自由回転操作位置から見て一方の揺動操作領域に設定される第１制動調整領域と、自由回転操作位置から見て他方の揺動操作領域に設定される第２制動調整領域と、を有し、カム機構８は、ドラグレバー７が自由回転操作位置にあるとき、ドラグ機構１０の制動力を解除してスプール５の自由回転を許容するようにスプール軸６を移動させ、ドラグレバー７が自由回転操作位置から第１制動調整領域または第２制動調整領域のいずれに操作されたときでも、その操作量に応じてドラグ機構１０の制動力が増加するようにスプール軸６を移動させるので、一方の制動調整領域を魚を釣り上げる際の制動力調整に最適化しつつ、他方の制動調整領域を釣り糸を繰り出す際の制動力調整に最適化することができ、その結果、ジギングにおいて、サミングをしなくても、ドラグレバー７の操作でジグの沈降速度を調整できるだけでなく、その際の操作性も良好なものとできる。しかも、釣り糸の繰り出しを開始する際、ドラグレバー７を第１制動調整領域から自由回転操作位置に操作した後、自由回転操作位置を越える第２制動調整領域への連続的な操作でジグの沈降速度を調整することができるので、沈降開始直後からジグの速度調整を行ない、魚を誘引することができる。
【００２５】
また、第２制動調整領域は、釣り糸を繰り出す際に使用され、ドラグレバー７の操作に応じてドラグ機構１０の制動力を無段階に変化させるので、ジギングにおいて、ドラグレバー７の操作でジグの沈降速度を無段階に調整することができる。
【００２６】
また、第２制動調整領域は、操作ストロークが第１制動調整領域よりも短く、かつドラグレバー７の操作量に対する制動力の変化量が第１制動調整領域よりも大きいので、ジグの沈降速度を調整する際、ドラグレバー７の操作量を少なくして操作性を向上させることができるだけでなく、少ないレバー操作量で大きな速度変化を生じさせることができる。
【符号の説明】
【００２７】
１    両軸受リール
２    リール本体
３    ハンドル軸
４    ハンドル部材
５    スプール
６    スプール軸
７    ドラグレバー
８    カム機構
９    制動部
１０  ドラグ機構
１１  回転伝達機構
１７  カム
１８  カムプレート
１９  プリセットノブ
２１  レバー保持機構
【図１】
0003182452.tif 000003
【図２】
0003182452.tif 000004
【図３】
0003182452.tif 000005
【図４】
0003182452.tif 000006
【図５】
0003182452.tif 000007